(57)【特許請求の範囲】
【請求項１】
ロールスクリーン、ブラインド、カーテンレール等の支持枠を窓周面の壁面に配置し、この支持枠の両端に備えてあり、両側端の端面を外方に押圧する突張金具において、
壁面に接触する両端側面を壁面側に圧接する押圧部と、この押圧部を常時外方へ付勢した弾性部材を内装し、外筒内で摺動する摺動部材と、この摺動部材を前記弾性部材の弾力に抗して移動させるカム板を有し、前記外筒に軸支された操作部とを備え、
前記操作部の操作で、操作部に設けたカム板のカム面によって前記摺動部材を前記弾性部材の弾力に抗して外筒内で内方に移動させてロックし、前記押圧部を壁面から遠ざかるようにし、前記操作部を元の位置に復帰させたときは前記弾性部材の弾力により前記押圧部を壁面に圧接するようにしたことを特徴とするカーテンレール等の突張器具。
【請求項２】
前記操作部が前記外筒に回動自在に軸支し、前記カム板が前記操作部の回動軸と一体に形成してあり、このカム板のカム面が円弧状になって前記摺動部材に接触し、前記操作部の停止位置ではカム板のカム面の直線部が前記摺動部材内面に当接して停止することを特徴とする請求項１に記載のカーテンレール等の突張器具。
【請求項３】
前記操作部の操作レバーを回動したときにこの操作レバーを所定位置で係止する突起が前記外筒の側面に配設してあることを特徴とする請求項１又は請求項２に記載のカーテンレール等の突張器具。
【発明の詳細な説明】
【０００１】
【発明の属する技術分野】
本発明は、窓枠などに取り付け、長手方向に伸縮するカーテンレール等の長手方向に突張る形式のカーテンレール等の突張器具に関する。
【０００２】
【従来の技術】
ロールスクリーン、ブラインド、カーテンを窓枠などに取り付ける支持枠は一般的に壁面に対して止ねじなどで壁面に固着してある。しかし昨今では家庭において日曜大工などで主婦などがカーテンレール等を取り付けることが多く行われていることから、簡易な構造が望まれている。その一つの方法としてカーテンレール等の支持枠の両端に長手方向に伸縮する調節部材を備えた突張器具を支持枠に内装したものが市販されている。
【０００３】
このような簡易取付用の支持枠は、壁面に仮止めした掛具に支持枠を懸架し、両端に内装した調節部材をスパナーなどで回転して調節部材を伸長して壁面間に支持枠を強固に固定するものが一般的である。
【０００４】
【発明が解決しようとする課題】
このように従来の方法では、窓枠壁の間に配置した支持枠の突張器具の調節部材を回動するのに指先では充分に回転することができなかった。従って、取り扱いが面倒であった。しかも最近は窓も大きくなり、ロールスクリーンなどは重量の重いものが多く、壁面に支持枠の取り付けが大変であった。
本発明の課題は、家庭において簡単にカーテンレール等の設置ができるカーテンレール等の突張器具を提供することである。
また、本発明の他の課題は面倒なスパナーなどを使用することなく、ワンタッチで簡易に装着ができるカーテンレール等の突張器具を提供することである。
【０００５】
【課題を解決するための手段】
本発明の前記課題は、ロールスクリーン、ブラインド、カーテンレール等の支持枠を窓周面の壁面に配置し、この支持枠の両端に備えてあり、両側端の端面を外方に押圧する突張金具において、壁面に接触する両端側面を壁面側に圧接する押圧部と、この押圧部を常時外方へ付勢した弾性部材を内装し、外筒内で摺動する摺動部材と、この摺動部材を前記弾性部材の弾力に抗して移動させるカム板を有し、前記外筒に軸支された操作部とを備え、前記操作部の操作で、操作部に設けたカム板のカム面によって前記摺動部材を前記弾性部材の弾力に抗して外筒内で内方に移動させてロックし、前記押圧部を壁面から遠ざかるようにし、前記操作部を元の位置に復帰させたときは前記弾性部材の弾力により前記押圧部を壁面に圧接するようにしたカ←テンレ←ル等の突張器具によって達成できる。
【０００６】
また、前記課題は、前記操作部が前記外筒に回動自在に軸支し、前記カム板が前記操作部の回動軸と一体に形成してあり、このカム板のカム面が円弧状になって前記摺動部材に接触し、前記操作部の停止位置ではカム板のカム面の直線部が前記摺動部材内面に当接して停止する構成によって達成できる。
【０００７】
更に、前記課題は、前記操作部の操作レバーを回動したときにこの操作レバーを所定位置で係止する突起が前記外筒の側面に配置してある構成または前記支持枠内で摺動する押圧部の端面を掛止する掛止部材を支持枠の両端が当接する壁面に接着する構成によって達成できる。
【０００８】
【発明の実施の形態】
以下、本発明のカーテンレール等の突張器具について実施の形態に基づき図面を参照して詳述する。
図１は本発明カーテンレール等の突張器具の実施形態を示す概略側面図である。
図２は図１の内部機構を説明する操作部のロック状態を示す断面図である。図３は本発明の突張器具の操作レバーを示す説明図で、（ａ）は平面図、（ｂ）は側面図、図４は本発明カーテンレール等の支持枠に内装する他方の突張器具の側面図である。図５は本発明の突張器具を備えた支持枠の両端を掛止する掛止具の断面図と側面図、図６は本発明突張器具を備えた支持枠を取り付け状態を示す平面図である。
【０００９】
本発明の突張器具について図面に示す実施形態に基づいて説明する。
カーテンレール等を窓枠に固定する支持枠１の両端に突張器具２を嵌合する。この突張器具２の押圧部材３の内周面３ａに調節部材４に係合する爪を備えている。この調節部材４は摺動部材である内筒５の外周面に穿ってあるねじ溝に螺合してあり、この調節部材４の回動によって押圧部材３の伸長の微調整ができるようになっている。この内筒５の内部に弾性部材であるスプリングばね６が弾装してある。このスプリングばね６の末端は内筒軸端５ａに固着し、この内筒軸端５ａに当枠７が固着してある。
【００１０】
他方この摺動部材である内筒５を内装して、この内筒５の摺動を案内する外筒８に操作部の操作レバー９の回動軸１０が軸支されている。この回動軸１０に前記内筒５の当枠７内で回動するカム板１１が固着してある。このカム板１１のカム面１１ａは円弧状に形成され、操作レバー９が回動すると、このカム面１１ａの押圧により，前記内筒５の当枠７が前記スプリングばね６の弾性に抗して支持枠１の内方に移動するようになっている。
【００１１】
前記外筒８の側面には操作レバー９の回動を一次的に係止する突起８ａが設けられている。また、必要に応じて操作レバー９の回転軸１０に前記外筒８の側面から支持枠１の周面に移動する摺接片１２が固着してあり、この摺接片１２の先端の支持枠１に接する接触面に膨出部１２ａがある。
支持枠１の両端の突張器具２の押圧部材３の押圧面を掛止する掛止具１３が支持枠１の取り付け面に接着してある（図５参照）。この掛止具１３の接着面には粘着剤が塗布され、剥離紙などを剥がして粘着剤を接着することにより簡易に取り付けることができる。
【００１２】
本発明の突張器具について図面に示す実施態様に基づき取り扱いを説明する。
窓枠のカーテンレール等の取付箇所における壁面に掛止具１３の接着面の剥離紙を剥がして接着する。支持枠１の片側突張器具２を掛止具１３に当てがい、他方の突張器具２の操作レバー９を図１（ａ）の状態から時計方向に回動する。操作レバー９の回動軸１０と一体のカム板１１が内筒５の当枠７内で回転してカム面１１ａで当枠７を図１右方向に摺動させる。内筒５内のスプリングばね６の弾力に抗して内筒５は外筒８内を摺動する。カム板１１のカム面１１ａの直線部１１ｂが当枠７の内面に接して回転は停止する（図１ｂ参照）。
【００１３】
この状態でこの突張器具２（図１左側）を壁面に接着した掛止具１３に位置せしめ、操作レバー９を図１の反時計方向に回動し、カム板１１のカム面１１ａを当枠７から離反させると、内筒５はスプリングばね６の弾力により図１左方向に移動するから押圧部材３が掛止具１３に圧接することになる。これによってカーテンレール等が窓枠に取り付けられる。
【００１４】
押圧部材３の内周面の爪によってこの押圧部材３が調節部材４に固着されている。この押圧部材３の押圧面の中央部分は凹面を形成してあり、壁面に接着した掛止具１３に当接するようになっている。
【００１５】
このようにロールスクリーンの回転軸やカーテンレールの支持枠などを窓枠に取り付けるに際して、ねじ回し、スパナーなどの工具を使用することなく、操作レバー９を軽く操作するだけで、スプリングばね６の弾力により、強固に壁面に取り付けることができる。しかも調節部材４の微調整により、確実に取り付けることができる。
【００１６】
【発明の効果】
本発明のカーテンレール等の突張器具によれば、工具類を使用することなく、ワンタッチで窓枠にロールスクリーン、ブラインド、カーテンレール等のブラケットや支持枠を取り付けることができる。また、簡易な構成により支持枠への組み込みが簡易にできる。
【図面の簡単な説明】
【図１】本発明カーテンレール等の突張器具の実施形態を示す概略側面図である。
（ａ）は突張器具の伸長状態を示す側面図、
（ｂ）は最短状態を示す側面図、
【図２】図１の内部機構を説明する断面図である。
【図３】本発明の突張器具の操作レバーを示す説明図である、
（ａ）は平面図、
（ｂ）は側面図、
【図４】本発明カーテンレール等の支持枠に内装する他方の突張器具の側面図である。
【図５】本発明の突張器具を備えた支持枠の両端を掛止する掛止具の説明図である。
（ａ）は断面図
（ｂ）は側面図、
【図６】本発明突張器具を備えた支持枠を取り付け状態を示す平面図である。
【符号の説明】
１    支持枠
２    突張器具
３    押圧部材
４    調節部材
５    内筒
６    スプリングばね
７    当枠
８    外筒
９    操作レバー
１０  回転軸
１１  カム板
１１ａ    カム面
１１ｂ    直線部
１２  摺接片
１３  掛止具
【図１】
0003550560.tif 000002
【図２】
0003550560.tif 000003
【図３】
0003550560.tif 000004
【図４】
0003550560.tif 000005
【図５】
0003550560.tif 000006
【図６】
0003550560.tif 000007